(57)【要約】【課題】使用する設定条件が不用意に希望しない設定条件となってしまうことを回避できる電子機器等を提供する。【解決手段】テレビジョン受像機１００の電源を投入した時に、不揮発性メモリ４に記憶されている選択フラグが選択必要の状態にあるか否かを判断し、選択フラグが選択必要の状態にあると判断されるとき、設定条件を選択するためのメニューを表示デバイス６に表示する。表示された選択メニューから選択された設定条件がカスタマーの操作キーの操作により確定されたときのみ、その設定条件を不揮発性メモリ４に記憶すると共に選択フラグを選択不必要の状態に変更する。これにより、選択メニューから選択された設定条件がカスタマーの操作キーの操作により確定される前に、電源を落とした場合、選択フラグが選択必要の状態のままである。そのため、次に電源を投入したとき、カスタマーは使用する設定条件の選択を行うことができる。【選択図】        図１
2004172666.tif 000002
【特許請求の範囲】
【請求項１】
カスタマーが使用する設定条件を選択できるようにした電子機器において、
上記設定条件の選択が必要か否かを示す選択フラグを記憶しておく第１の記憶部と、
上記設定条件を選択するためのメニューを表示する表示手段と、
上記カスタマーが上記表示手段で表示されたメニューから選択した設定条件を確定する操作を行うための操作手段と、
上記操作手段の操作で選択された設定条件を使用する設定条件として記憶しておく第２の記憶部と、
電源投入時に、上記第１の記憶部に記憶されている選択フラグが選択必要状態にあるとき、表示されているメニューから設定条件が選択されて上記操作手段の操作により確定されたとき、該選択された設定条件を上記第２の記憶部に使用する設定条件として記憶すると共に上記第１の記憶部に記録されている選択フラグを選択不必要状態に変更する第１の制御手段と
を備えることを特徴とする電子機器。
【請求項２】
上記表示部に表示されるメニューの項目表示は、地域の名称とされ、
上記カスタマーは、地域の名称を選択することによって設定条件を選択する
ことを特徴とする請求項１に記載の電子機器。
【請求項３】
上記表示部に表示されるメニューの項目表示は、設定条件の名称とされ、
上記カスタマーは、設定条件の名称を選択することによって設定条件を選択する
ことを特徴とする請求項１に記載の電子機器。
【請求項４】
上記表示部に表示されるメニューの項目表示は、言語の名称とされ、
上記カスタマーは、言語の名称を選択することによって設定条件を選択する
ことを特徴とする請求項１に記載の電子機器。
【請求項５】
上記第１の記憶部に記憶されている選択フラグを選択不要状態から選択必要状態に変更する第２の制御手段をさらに備える
ことを特徴とする請求項１に記載の電子機器。
【請求項６】
カスタマーが使用する設定条件を選択できるようにした電子機器の電源投入時の制御方法であって、
電源投入時に、第１の記憶部に記憶されている選択フラグが選択必要状態にあるか否かを判断する第１のステップと、
上記第１のステップで上記選択フラグが選択必要状態にあると判断されるとき、設定条件を選択するためのメニューを表示部に表示する第２のステップと、
上記第２のステップで表示部に表示されたメニューから設定条件が選択されて確定操作が行われたとき、該選択された設定条件を第２の記憶部に記憶すると共に上記第１の記憶部に記憶されている選択フラグを選択不必要状態に変更する第３のステップと
を備えることを特徴とする電子機器の電源投入時の制御方法。
【発明の詳細な説明】
【０００１】
【発明の属する技術分野】
この発明は、カスタマーが使用する設定条件を選択できるようにした電子機器およびその電源投入時の制御方法に関する。詳しくは、メニューから選択された設定条件がカスタマーの操作手段の操作により確定されたときのみ、その設定条件を記憶部に記憶すると共に選択フラグを選択不必要の状態に変更することによって、使用する設定条件が不用意に希望しない設定条件となってしまうことを回避できるようにした電子機器等に係るものである。
【０００２】
【従来の技術】
従来、テレビジョン受像機、ファクシミリ等の電子機器は、発売される国もしくは地域毎に設定が異なる場合、それぞれ発売される国もしくは地域に合わせて生産工場の出荷前に設定を行っていた。
【０００３】
例えば、テレビジョン受像機の場合、使用するカスタマー（ユーザ）の所在国もしくは地域によって、色温度（白またはグレーのバランス）、コンポーネントレベル、ＮＴＳＣセットレベル、メニュー表示言語などがそれぞれ異なるため、これらの設定の異なる国もしくは地域の数だけテレビジョン受像機の種類を用意する必要があった。これにより、国もしくは地域向けのテレビジョン受像機の在庫バランスを保つのが難しかった。
【０００４】
また、ファクシミリ装置などの通信端末装置は、実際に設置される地域における通信規格に正しく適合していないと、正常な通信が行えなかったり、通信規格に違反してしまったりするため、装置動作に関連した各種パラメータの設定を、装置の実際の設置地域に適合するように予め設定しておく必要がある。そのため、各設置地域ごとの通信規格の違いに適合する専用装置を各設置地域に出荷しなければならなく、したがって、仕向先の設置地域が異なる装置を融通しあうことができず、装置の在庫バランスを保つのが難しかった。
【０００５】
このような問題を解決するために、装置出荷時の初期値として設置地域未設定の状態にし、出荷後、カスタマーが表示画面に表示された地域名、使用言語等を選択して、使用する設定条件を選択できるようにした通信端末装置が提案されている（例えば、特許文献１参照。）。
【０００６】
【特許文献１】
特開２００１−２８５５１９号公報（第９，１０頁、第９，１０図）
【０００７】
【発明が解決しようとする課題】
上述の通信端末装置（特許文献１）の場合、多数の機種を用意する必要がなく、国もしくは地域向けの機器の在庫バランスを保つのが容易になるが、使用する設定条件を選択する途中に、カスタマーが電源を落とした場合、次に電源を入れた時、設定条件の選択が完成されていないにもかかわらず、設定条件を選択するための画面（メニュー）が表示されず、設定条件の選択を行うことできなくなるおそれがある。
【０００８】
そこで、この発明は、使用する設定条件が不用意に希望しない設定条件となってしまうことを回避できるようにした電子機器およびその電源投入時の制御方法を提供することを目的とする。
【０００９】
【課題を解決するための手段】
この発明に係る電子機器は、カスタマーが使用する設定条件を選択できるようにした電子機器において、設定条件の選択が必要か否かを示す選択フラグを記憶しておく第１の記憶部と、設定条件を選択するためのメニューを表示する表示手段と、カスタマーが表示手段で表示されたメニューから選択した設定条件を確定する操作を行うための操作手段と、操作手段の操作で選択された設定条件を使用する設定条件として記憶しておく第２の記憶部と、電源投入時に、第１の記憶部に記憶されている選択フラグが選択必要状態にあるとき、表示されているメニューから設定条件が選択されて操作手段の操作により確定されたとき、該選択された設定条件を第２の記憶部に使用する設定条件として記憶すると共に第１の記憶部に記録されている選択フラグを選択不必要状態に変更する第１の制御手段とを備えるものである。
【００１０】
例えば、表示部に表示されるメニューの項目表示は、地域の名称、設定条件の名称、あるいは言語の名称のいずれかである。
また例えば、第１の記憶部に記憶されている選択フラグを選択不要状態から選択必要状態に変更する第２の制御手段をさらに備える。
【００１１】
この発明に係る電子機器の電源投入時の制御方法は、カスタマーが使用する設定条件を選択できるようにした電子機器の電源投入時の制御方法であって、電源投入時に、第１の記憶部に記憶されている選択フラグが選択必要状態にあるか否かを判断する第１のステップと、第１のステップで選択フラグが選択必要状態にあると判断されるとき、設定条件を選択するためのメニューを表示部に表示する第２のステップと、第２のステップで表示部に表示されたメニューから設定条件が選択されて確定操作が行われたとき、該選択された設定条件を第２の記憶部に記憶すると共に第１の記憶部に記憶されている選択フラグを選択不必要状態に変更する第３のステップとを備えるものである。
【００１２】
この発明においては、メニューから選択された設定条件がカスタマーの操作手段の操作により確定されたときのみ、その設定条件を記憶部に記憶すると共に選択フラグを選択不必要状態に変更することにより、電源を投入した後メニューから選択された設定条件がカスタマーの操作手段の操作により確定される前に、電源を落とした場合、次に電源を入れたとき、再度、選択フラグが選択必要の状態にあると判断されるため、使用する設定条件が不用意に希望しない設定条件となってしまうことを回避することが可能となる。
【００１３】
【発明の実施の形態】
以下、図面を参照しながら、この発明の実施の形態について説明する。図１は、実施の形態としてのテレビジョン受像機１００の構成を示す要部ブロック図である。
【００１４】
テレビジョン受像機１００は、信号入力ブロック１と、映像信号処理回路２と、ＯＳＤ（Ｏｎ  Ｓｃｒｅｅｎ  Ｄｉｓｐｌａｙ）回路３と、不揮発性メモリ４と、コントローラ５と、表示デバイス６とから構成されている。
【００１５】
信号入力ブロック１は、図示しないアンテナから送られてきた放送信号を同期分離、Ｙ／Ｃ分離、色復調などの処理を行った後、輝度信号Ｙ，青色差信号ＣＢ，赤色差信号ＣＲに変換して出力する回路である。信号入力ブロック１から出力されたＹ，ＣＢ，ＣＲ信号は映像信号処理回路２に入力される。
【００１６】
映像信号処理回路２は、信号入力ブロック１から出力されたＹ，ＣＢ，ＣＲ信号とＯＳＤ回路３からのＯＳＤ画像信号との重畳処理を行い、表示用画像信号を得る回路である。
【００１７】
ＯＳＤ回路３は、ＯＳＤ画像信号の発生・処理を行う回路であり、コントローラ４の制御により、表示デバイス６の画面上に選局チャンネル、音量、さらには後述する使用する設定条件を選択するためのメニュー（以下、「選択メニュー」という）等を表示するためのＯＳＤ画像信号を生成して映像信号処理回路２に供給する。
【００１８】
不揮発性メモリ４は、選択フラグと使用する設定条件を記憶するものである。選択フラグは、工場出荷時には選択必要の状態、例えば「０」に設定される。
【００１９】
コントローラ５は、内部に設けられたＲＯＭ（図示せず）に記憶された制御プログラム情報に従って、内部に設けられたＲＡＭ（図示せず）をワークエリアとして使用しながら、テレビジョン受像機１００の全体の動作を制御する。
【００２０】
このコントローラ５は、テレビジョン受像機１００の電源を投入した（電源オン）後、不揮発性メモリ４に記憶されている選択フラグに基づいて使用する設定条件の選択が必要であるか否かを判断し、必要であると判断されたとき、選択メニューを表示デバイス６の表示画面に表示し、項目が選択され、カスタマーのキー操作によってそれが確定されたとき、その項目に対応した設定条件を不揮発性メモリ４に記憶すると共に、不揮発性メモリ４に記憶されている選択フラグを選択不必要の状態とし、通常動作状態に移行し、また、使用する設定条件の選択が不必要であると判断されたとき、直ちに通常動作状態に移行するように制御するようになされている。
【００２１】
図２は、地域（一国または複数の国からなる）名称とカスタマーが使用する設定条件との対応関係を示すテーブルである。このテーブルは、コントローラ５内のＲＯＭに記憶されている。
【００２２】
ここで、使用する設定条件は、色温度、コンポーネントレベル、ＮＴＳＣセットアップレベルからなっている。このテーブルにおける地域名称は上述した選択メニューに表示される項目になる。
【００２３】
例えば、地域名称「ＮＯＲＴＨ  ＡＭＥＲＩＣＡ」の項目が選択され、カスタマーのキー操作によって確定されるときは、色温度「Ｄ６５」、コンポーネントレベル「ＢＥＴＡ７．５」、およびＮＴＳＣセットアップレベル「ＮＴＳＣ７．５」が使用する設定条件となる。また例えば、地域名称「ＪＡＰＡＮ」の項目が選択され、カスタマーのキー操作によって確定されるときは、色温度「Ｄ９３」、コンポーネントレベル「Ｎ１０／ＳＭＰＴＥ」、およびＮＴＳＣセットアップレベル「ＮＴＳＣ０」が使用する設定条件となる。
【００２４】
表示デバイス６は、例えば画像表示用ＣＲＴ（Ｃａｔｈｏｄｅ−Ｒａｙ  Ｔｕｂｅ）からなり、映像信号処理回路２より送られてきた画像信号を画面上に表示するするようになされる。また、テレビジョン受像機１００の電源を入れた後、該テレビジョン受像機１００が使用する設定条件の選択が必要であると判断されたとき、上述の選択メニューを画面上に表示するようになされている。
【００２５】
なお、テレビジョン受像機１００は、本体コントロール部かリモートコントローラもしくはその両方（図示せず、以下単に「リモコン」という）を有している。このリモコンには、例えば、チャンネル指定用操作キーと、カーソル操作用アップダウン（ＵＰ／ＤＯＷＮ）キーと、選択した設定条件を確定する操作を行うための操作手段としてのＥＮＴＥＲキーと、ＭＥＮＵキーとが配置されている。カスタマーは、カーソル操作用ＵＰ／ＤＯＷＮキーとＥＮＴＥＲキーを用いて上述の選択メニューから所定の地域名称を選択し、その選択を確定できる。
【００２６】
次に、図３のフローチャートを用いて、図１に示すテレビジョン受像機１００の電源投入時におけるコントローラ５の制御動作について説明する。
ステップＳ１で、電源が投入される（電源オン）と、ステップＳ２で、不揮発性メモリ４から選択フラグを読み出し、使用する設定条件の選択が必要か否かを判断する。上述したように、工場出荷時には、選択フラグが選択必要の状態、即ち「０」に設定されているため、そのままの状態にあるときは選択が必要と判断される。選択が必要であるときは、ステップＳ３で、選択メニュー（上位選択メニュー）を表示デバイス６の表示画面上に表示する。この選択メニューの項目表示は、地域の名称とされている。
【００２７】
図４は、選択メニューの表示例を示している。図４（ａ）は最初に表示される選択メニューの画面である。この場合、カーソルＫが選択肢「ＮＯＲＴＨ  ＡＭＥＲＩＣＡ」の位置に配置されている。
【００２８】
次に、ステップＳ４では、カスタマーによるＵＰ／ＤＯＷＮキーの操作があるか否かを判断する。ＵＰ／ＤＯＷＮキーの操作がある場合には、ステップＳ５で、カーソルＫをＵＰ／ＤＯＷＮキーの操作にしたがって移動する。
【００２９】
例えば、最初に表示される選択メニューの画面（図４（ａ））からＤＯＷＮキーを操作すると、図４（ｂ）に示すような画面になる。この場合は、カーソルＫが選択肢「ＬＡＴＩＮ  ＡＭＥＲＩＣＡ」の位置に移動し、選択肢「ＬＡＴＩＮ  ＡＭＥＲＩＣＡ」が選択されている状態になる。また、図４（ｂ）に示す画面からＤＯＷＮキーを操作すると、図４（ｃ）に示すような画面になる。この場合は、カーソルＫが選択肢「ＡＦＲＩＣＡ  ＡＵＳＴＲＡＬＡＳＩＡ  ＥＵＲＯＰＥ  ＭＩＤＤＬＥ−ＥＡＳＴ」の位置に移動し、選択肢「ＡＦＲＩＣＡ  ＡＵＳＴＲＡＬＡＳＩＡ  ＥＵＲＯＰＥ  ＭＩＤＤＬＥ−ＥＡＳＴ」が選択されている状態になる。また、図４（ｃ）に示す画面からＤＯＷＮキーを操作すると、図４（ｄ）に示すような画面になる。この場合は、カーソルＫが選択肢「ＡＳＩＡ  ＥＸＣＥＰＴ  ＪＡＰＡＮ」の位置に移動し、選択肢「ＡＳＩＡ  ＥＸＣＥＰＴ  ＪＡＰＡＮ」が選択されている状態になる。さらに、図４（ｄ）に示す画面からＤＯＷＮキーを操作すると、図４（ｅ）に示すような画面になる。この場合は、カーソルＫが選択肢「ＪＡＰＡＮ」の位置に移動し、選択肢「ＪＡＰＡＮ」が選択されている状態になる。
【００３０】
なお、上述した各画面からのＤＯＷＮキーの操作とは逆に、ＵＰキーを操作すると、カーソルＫが一つ上の選択肢に移動する。
【００３１】
次に、ステップＳ６で、電源がオフ状態となったか否かを判断する。電源がオフ状態となった場合は、動作を終了する。電源がオフ状態になっていない場合には、次のステップＳ７へ進む。
【００３２】
ステップＳ７で、カスタマーによるＥＮＴＥＲキーの操作があるか否かを判断する。ＥＮＴＥＲキーの操作がないと判断された場合は、ステップＳ４に戻り、ステップＳ４からステップＳ７までの動作を繰り返す。また、ステップＳ７で、ＥＮＴＥＲキーの操作があると判断された場合は、ステップＳ８で、下位選択メニューがあるか否かを判断する。下位選択メニューがない場合、例えば図４（ａ）場合は、次のステップＳ９へ進む。この場合、当該カスタマーによるＥＮＴＥＲキーの操作によってカーソル位置の選択が確定されることになる。
【００３３】
ステップＳ９では、データセーブを行う。ここで、選択された地域名称に対応する設定条件を、ＲＯＭに記憶されているテーブル（図２参照）に基づいて使用する設定条件として不揮発性メモリ４に記憶する。また、このステップＳ９では、コントローラ５は、不揮発性メモリ４に記憶されている選択フラグを選択必要の状態（「０」）から選択不必要の状態（「１」）に変更する。
【００３４】
そして、ステップＳ１０で、選択メニューを消去した後、ステップＳ１７へ進む。ステップＳ１７では、テレビジョン受像機１００を通常動作状態とする。
【００３５】
一方、ステップＳ８で、下位選択メニューがあると判断された場合、ステップＳ１１で、その下位選択メニューを表示する。次に、ステップＳ１２で、カスタマーによるＵＰ／ＤＯＷＮキーの操作があるか否かを判断する。ＵＰ／ＤＯＷＮキーの操作がある場合は、ステップＳ１３で、カーソルＫをＵＰ／ＤＯＷＮキーの操作にしたがって移動する。
【００３６】
例えば、図４（ｂ）に示す画面からＥＮＴＥＲキーを操作すると、図４（ｆ）に示すような画面（下位選択メニュー）が表示される。この場合は、カーソルＫが選択肢「ＰＡＬ＆ＰＡＬ−Ｎ  ＡＲＥＡ」の位置に配置されている。さらに、図４（ｆ）に示す画面からＤＯＷＮキーを操作すると、図４（ｇ）に示すような画面になる。この場合は、カーソルＫが選択肢「ＮＴＳＣ＆ＰＡＬ−Ｍ  ＡＲＥＡ」の位置に移動し、選択肢「ＮＴＳＣ＆ＰＡＬ−Ｍ  ＡＲＥＡ」が選択されている状態になる。また、図４（ｄ）に示す画面からＥＮＴＥＲキーを操作すると、図４（ｈ）に示すような画面（下位選択メニュー）が表示される。この場合は、カーソルＫが選択肢「ＰＡＬ＆ＰＡＬ−Ｎ  ＡＲＥＡ」の位置に配置されている。さらに、図４（ｈ）に示す画面からＤＯＷＮキーを操作すると、図４（ｉ）に示すような画面になる。この場合は、カーソルＫが選択肢「ＮＴＳＣ＆ＰＡＬ−Ｍ  ＡＲＥＡ」の位置に移動し、選択肢「ＮＴＳＣ＆ＰＡＬ−Ｍ  ＡＲＥＡ」が選択されている状態になる。
【００３７】
なお、上述した図４（ｇ）または図４（ｉ）の画面からＵＰキーを操作すると、カーソルＫが一つ上の選択肢に移動し、図４（ｆ）または図４（ｈ）の状態に戻る。
【００３８】
次に、ステップＳ１４で、カスタマーによるＭＥＮＵキーの操作があるか否かを判断する。ＭＥＮＵキーの操作がある場合は、ステップＳ３に戻り、したがって、下位選択メニューから上位選択メニューに戻る。例えば、図４（ｆ），（ｇ）の画面からＭＥＮＵキーを操作すると、図４（ｂ）に示す画面に戻り、また、図４（ｈ），（ｉ）の画面からＭＥＮＵキーを操作すると、図４（ｄ）に示す画面に戻る。
【００３９】
なお、ステップＳ１４で、ＭＥＮＵキーの操作がない場合は、ステップＳ１５へ進み、電源がオフ状態となったか否かを判断する。電源がオフ状態となった場合には、動作を終了する。電源がオフ状態になっていない場合には、ステップＳ１６へ進む。
【００４０】
ステップＳ１６で、カスタマーによるＥＮＴＥＲキーの操作があるか否かを判断する。ここで、ＥＮＴＥＲキーの操作がないと判断された場合は、ステップＳ１２に戻り、ステップＳ１２からステップＳ１６までの動作を繰り返す。また、ステップＳ１６で、ＥＮＴＥＲキーの操作があると判断された場合は、ステップＳ９に進む。この場合、当該カスタマーによるＥＮＴＥＲキーの操作によって、カーソル位置の選択が確定されることになる。ステップＳ９へ進む。
【００４１】
ステップＳ９では、選択された地域名称に対応する設定条件を、ＲＯＭに記憶されているテーブル（図２参照）に基づいて使用する設定条件として不揮発性メモリ４に記憶する。また、このステップＳ９で、コントローラ５では、不揮発性メモリ４に記憶されている選択フラグを選択必要の状態（「０））から選択不必要の状態（「１」）に変更する。
【００４２】
そして、ステップＳ１０で、選択メニューを消去した後、ステップＳ１７へ進む。ステップＳ１７では、テレビジョン受像機１００を通常動作状態とする。
【００４３】
上述したように使用する設定条件を選択した後、次に電源をオンにした場合には、選択フラグが選択不必要の状態、即ち「１」に設定されているため、直ちにステップＳ１７の通常動作状態に移行する。したがって、使用する設定条件の選択が一度行われた後、次に電源をオンにした場合には、設定条件を選択するための選択メニューが表示デバイス６に表示されることはない。
【００４４】
また、カスタマーがステップＳ７またはステップＳ１６でＥＮＴＥＲキーを操作せずに、選択を確定する前に電源をオフにした場合には、不揮発性メモリ４に記憶されている選択フラグが選択必要の状態（「０」）のままである。そのため、次に電源を入れた時には、ステップＳ２からステップＳ３に進み、カスタマーは使用する設定条件の選択を行うことができる。
【００４５】
次に、図５のフローチャートを用いて、不揮発性メモリ４に記憶されている選択フラグを選択不必要の状態（「１」）から選択必要の状態（「０））に変更するためのコントローラ５の制御動作について説明する。このような変更は、例えばテレビジョン受像機１００の使用国もしくは地域が変わった場合に必要となる。
【００４６】
通常動作状態では、ステップＳ２１で、サービスモードの操作があるか否かを判断する。この場合、例えばサービスマン等のメーカ関係者によりテレビジョン受像機１００の本体に設けられているサービスモードに移行するための専用操作キーが操作されると、サービスモードの操作があると判断され、次のステップＳ２２へ進む。なお、ここで、サービスモードの操作がないと判断される場合は、サービスモードの操作があるか否かを判断するために、監視を続ける。
【００４７】
ステップＳ２２で、サービスメニューを表示デバイス６の画面上に表示する。次に、ステップＳ２３で、不揮発性メモリ４に記憶されている選択フラグを選択必要の状態に変更するための「ＦＡＣＴＯＲＹ操作」が選択されたか否かを判断する。「ＦＡＣＴＯＲＹ操作」が選択された場合は、次のステップＳ２４で、選択フラグを選択必要の状態、即ち「０」に変更する。そして、ステップＳ２５で、ＦＡＣＴＯＲＹ操作、例えば設定条件を初期状態に変更する操作等を行った後、ステップＳ２６で、サービスモードを終了する。この場合、例えばサービスマンがサービスモードを終了するための操作を行うのに伴って、サービスモードを終了する。そして、ステップＳ２７で、サービスメニューを消去した後、ステップＳ２８で通常動作状態に戻り、上述のステップＳ２１の判断に戻る。
【００４８】
このように設定変更された場合、次に電源を入れた時、使用する設定条件の選択が必要と判断され、選択メニューが表示されるようになる。
【００４９】
このように本実施の形態においては、テレビジョン受像機１００の電源を投入した時に、不揮発性メモリ４に記憶されている選択フラグが選択必要の状態にあるか否かを判断し、選択フラグが選択必要の状態にあると判断されるとき、設定条件を選択するためのメニューを表示デバイス６に表示し、表示されたメニューから選択された設定条件がカスタマーの操作キーの操作により確定されたときのみ、その設定条件を不揮発性メモリ４に記憶すると共に選択フラグを選択不必要の状態に変更する。そのため、選択メニューから選択された設定条件がカスタマーの操作キーの操作により確定される前に、電源を落とした場合、次に電源を入れたとき、テレビジョン受像機１００が再度選択フラグが選択必要の状態にあると判断され、表示デバイス６に選択メニューが表示され、使用する設定条件の選択が可能となる。したがって、使用する設定条件が不用意に希望しない設定条件となってしまうことを回避することができる。
【００５０】
また、不揮発性メモリ４に記憶されている選択フラグを選択不必要の状態から選択必要の状態に変更することができるため、テレビジョン受像機１００の使用国もしくは地域が変わった場合に、使用する設定条件を再選択することができる。
【００５１】
なお、上述実施の形態においては、電子機器がテレビジョン受像機１００である場合について説明したが、これに限定されるものではない。テレビジョン受像機以外の電子機器にもこの発明を適用できる。
【００５２】
また、上述実施の形態においては、選択メニューの項目表示は地域の名称としているが、これに限定されるものではない。例えば、カスタマーが使用する言語の名称などを用いてもよい。また例えば、自分の使用する設定条件を理解しているカスタマーがより直接的に選択できるように、色温度、コンポーネントレベル、ＮＴＳＣセットアップレベル、メニュー表示言語等の設定条件の名称を項目表示として用いてもよい。
【００５３】
また、選択メニューの表示手段として、電子機器本体に映像表示デバイス以外に情報表示用の表示デバイス、例えば、液晶パネル、ＥＬディスプレイ（Ｅｌｅｃｔｒｏｌｕｍｉｎｅｓｃｅｎｃｅ  ｄｉｓｐｌａｙ）、ネオン管、ＬＥＤ等を設けてもよい。
【００５４】
また、表示デバイスの表示画面上に選択メニューを表示し選択する代わりに、電子機器の本体、もしくは電子機器に付属するリモコンに設けてあるボタンに選択肢を割り当てておき、そのボタンを押すことで選択を行うようにしてもよい。この場合、ボタンがメニューを表示する表示手段となる。この場合、使用する設定条件を選択する必要があるか否かは、ネオン管、ＬＥＤ等の表示デバイスでカスタマーに知らせることができる。
【００５５】
また、電子機器とコンピュータ或いはこれに類するモバイル機器を接続し、電子機器の外部から設定条件を選択或いは直接設定するようにしてもよい。
【００５６】
【発明の効果】
この発明によれば、メニューから選択された設定条件がカスタマーの操作キーの操作により確定されたときのみ、その設定条件を記憶部に記憶すると共に選択フラグを選択不必要状態に変更するものであり、途中で電源を落とした場合等に使用する設定条件が不用意に希望しない設定条件となってしまうことを回避できる。
【図面の簡単な説明】
【図１】実施の形態のテレビジョン受像機の構成を示す要部ブロック図である。
【図２】地域名称とカスタマーが使用する設定条件との対応関係を示す図である。
【図３】電源投入時の制御動作を示すフローチャートである。
【図４】選択メニューの表示例を示す図である。
【図５】選択フラグを選択必要の状態に変更する制御動作を示すフローチャートである。
【符号の説明】
１・・・信号入力ブロック、２・・・映像信号処理回路、３・・・ＯＳＤ回路、４・・・不揮発性メモリ、５・・・コントローラ、６・・・表示デバイス、１００・・・テレビジョン受像機
【図１】
2004172666.tif 000003
【図２】
2004172666.tif 000004
【図３】
2004172666.tif 000005
【図４】
2004172666.tif 000006
【図５】
2004172666.tif 000007